(57)【要約】【課題】燃料電池システムの冷却系において、冷却液の流れの均一化を図ることのできるイオン交換器を提供する。【解決手段】イオン交換器モジュール１は、イオン交換器２と、気液分離器３と、リザーブタンク４とが一体形成されている。イオン交換器２は、外筒部１１と、その内部に組付けられた内筒部１２とを備えている。かかる構成の下、気液分離器３からイオン交換器２の下側の外周流路２１ｂへ流入した冷却液は、内筒部１２の周壁部１２ｂにぶつかり、該外周流路２１ｂに沿って２方向へ分岐しつつ内筒部１２の反対側へ回り込むように流れていき、内筒部１２の反対側に位置する流入口２４から冷却液流入室１９内へ流入する。そして、冷却液流入室１９へ流入した冷却液は、隔壁部１５を介して整流された後、内部流路を中心軸線Ｃ３方向に沿って真っ直ぐに流れ、イオン交換樹脂収容室１６へ流入し真っ直ぐに通過していく。【選択図】      図２
2020021667.tif 000002
【特許請求の範囲】
【請求項１】
燃料電池システムの冷却系において、冷却液に含まれるイオンをイオン交換樹脂に吸着させて除去するイオン交換器であって、
冷却液が流れる略直線状の内部流路を有する本体筒部と、
前記内部流路の軸線方向所定区間に設けられ、前記イオン交換樹脂を収容したイオン交換樹脂収容室と、
前記内部流路における前記イオン交換樹脂収容室よりも上流側に設けられ、前記本体筒部の外部から導かれる冷却液が流入する冷却液流入室と、
前記内部流路における前記イオン交換樹脂収容室と前記冷却液流入室との間に設けられ、冷却液の通過を許容する複数の孔部を有した隔壁部とを備えたことを特徴とするイオン交換器。
【請求項２】
前記内部流路における前記イオン交換樹脂収容室と前記隔壁部との間において、前記イオン交換樹脂を収容しない流速緩和室を備えたことを特徴とする請求項１に記載のイオン交換器。
【請求項３】
冷却液を貯留可能なリザーブタンクを備え、
前記リザーブタンクと前記冷却液流入室とを連通させたことを特徴とする請求項１又は２に記載のイオン交換器。
【請求項４】
冷却液に含まれる気体を分離可能な気液分離器と、
気液分離後の気体を前記リザーブタンクへ導く第１連通路と、
気液分離後の冷却液を前記本体筒部へ導く第２連通路とを備えたことを特徴とする請求項３に記載のイオン交換器。
【請求項５】
前記隔壁部の孔部は、前記内部流路の下流側に向かうにつれ拡径するように形成されていることを特徴とする請求項１乃至４のいずれかに記載のイオン交換器。
【請求項６】
前記隔壁部を通過する冷却液の流れを均一化するための均一化手段を備えていることを特徴とする請求項１乃至５のいずれかに記載のイオン交換器。
【発明の詳細な説明】
【技術分野】
【０００１】
本発明は、燃料電池システムの冷却系に用いられるイオン交換器に関するものである。
【背景技術】
【０００２】
燃料電池システムでは、燃料電池において水素と酸素が化学反応して発電が行われると、燃料電池が発熱する。このため、燃料電池システムには、冷却液を循環させて燃料電池を発電に最適な温度に維持する冷却系が設けられている。
【０００３】
冷却系においては、冷却液の熱劣化による酸生成や配管部品等からのイオンの溶出により、冷却液中のイオン濃度が高くなると、冷却液の導電率が上昇する。その結果、冷却液を通じて燃料電池から外部へ漏電するおそれがある。ひいては燃料電池の発電効率が低下するおそれもある。
【０００４】
そのため、従来、燃料電池システムの冷却系には、冷却液中のイオン濃度の上昇を抑制するべく、イオン交換器が設けられている。かかるイオン交換器は、イオン交換樹脂を収容したケース内に冷却液を通すことで、冷却液に含まれるイオンを除去する構成となっている（例えば、特許文献１参照）。
【先行技術文献】
【特許文献】
【０００５】
【特許文献１】特開２０１１−８３７４４号公報
【発明の概要】
【発明が解決しようとする課題】
【０００６】
しかしながら、特許文献１に記載のイオン交換器のように、例えばイオン交換樹脂を収容したケース内の内部流路（イオン交換樹脂収容室）が全体としてＵ字状に屈曲している場合など、内部流路自身の形状や、そこへ冷却液を導く導入流路との接続形態などによっては、位置によって冷却液の流速や圧力などにばらつきが生じ、内部流路内を冷却液が均一に流れないおそれがある。
【０００７】
例えばＵ字状に屈曲した内部流路のコーナー部外周側においては、冷却液の流速が速く、そこを通過する流量も多くなる。一方、コーナー部内周側においては、冷却液の流速が遅く、そこを通過する流量も少なくなる。また、内部流路に隅角部等が存在する場合には、該隅角部等をほとんど冷却液が流れないおそれもある。
【０００８】
結果として、イオン交換効率やイオン交換樹脂の劣化の進行、ひいては冷却系における圧力損失や冷却液の循環流量などにも大きな影響を及ぼすおそれがある。
【０００９】
本発明は、上記事情等に鑑みてなされたものであり、燃料電池システムの冷却系において、冷却液の流れの均一化を図ることのできるイオン交換器を提供することを主たる目的の一つとしている。
【課題を解決するための手段】
【００１０】
以下、上記課題を解決するのに適した各手段につき、項分けして説明する。なお、必要に応じて対応する手段に特有の作用効果を付記する。
【００１１】
手段１．燃料電池システムの冷却系において、冷却液に含まれるイオンをイオン交換樹脂に吸着させて除去するイオン交換器であって、
冷却液が流れる略直線状の内部流路を有する本体筒部と、
前記内部流路の軸線方向所定区間に設けられ、前記イオン交換樹脂を収容したイオン交換樹脂収容室と、
前記内部流路における前記イオン交換樹脂収容室よりも上流側に設けられ、前記本体筒部の外部から導かれる冷却液が流入する冷却液流入室と、
前記内部流路における前記イオン交換樹脂収容室と前記冷却液流入室との間に設けられ、冷却液の通過を許容する複数の孔部を有した隔壁部とを備えたことを特徴とするイオン交換器。
【００１２】
ここで、上記「略直線状の内部流路」とは、Ｕ字状やＬ字状に大きく屈曲等した内部流路を含まない趣旨であり、完全な直線状の内部流路に限定されず、冷却液を円滑かつ略均一に流すことができる程度に緩やかに湾曲した内部流路等を含む。
【００１３】
但し、上記「略直線状の内部流路」には、軸線方向と直交する流路断面形状が軸線方向全区間において同一となる内部流路のみならず、例えば軸線方向上流側区間と下流側区間において流路断面形状や流路断面積が異なる内部流路なども含まれる。
【００１４】
勿論、内部流路の断面形状は、円形状に限らず、楕円形状や多角形状など、その他の形状であってもよい。
【００１５】
上記手段１に係るイオン交換器によれば、外部から内部流路へ導かれる冷却液は、一旦、冷却液流入室へ流入し、整流手段として機能する隔壁部を介して整流された後、内部流路の軸線方向に沿って真っ直ぐにイオン交換樹脂収容室へ流入し、そのまま該イオン交換樹脂収容室内を真っ直ぐに通過し流出していくこととなる。
【００１６】
これにより、イオン交換樹脂収容室へ流入し通過していく冷却液の流速を緩和すると共に、その流れを均一化し、各イオン交換樹脂に均一にイオン交換を行わせることができる。
【００１７】
結果として、イオン交換効率やイオン交換樹脂の劣化の進行、ひいては冷却系における圧力損失や冷却液の循環流量などに与える影響を低減することができる。
【００１８】
手段２．前記内部流路における前記イオン交換樹脂収容室と前記隔壁部との間において、前記イオン交換樹脂を収容しない流速緩和室を備えたことを特徴とする手段１に記載のイオン交換器。
【００１９】
上記隔壁部（孔部）の構成によっては、冷却液が隔壁部を通過することにより、その直下流部において、冷却液の流れに乱れが生じるおそれがある。つまり、仮にイオン交換樹脂が隔壁部の位置まで収容されている場合（イオン交換樹脂収容室が隔壁部の位置まで形成されている場合）には、イオン交換樹脂収容室内へ流入する冷却液の流れが不安定になるおそれがある。
【００２０】
これに対し、上記手段２によれば、上記流速緩和室（イオン交換樹脂を収容しない非収容空間）が形成されることで、冷却液の流速をより緩和させることができると共に、イオン交換樹脂収容室へ流入する冷却液の流れをより安定させ均一化することができる。結果として、上記手段１の作用効果をより高めることができる。
【００２１】
手段３．冷却液を貯留可能なリザーブタンクを備え、
前記リザーブタンクと前記冷却液流入室とを連通させたことを特徴とする手段１又は２に記載のイオン交換器。
【００２２】
上記手段３によれば、イオン交換器とリザーブタンクとを一体化し、冷却液流入室とリザーブタンクとの連通を図ることにより、冷却液流入室の実質的な大容量化を図ることができる。結果として、冷却液流入室へ流入する冷却液の流量を安定させることができ、上記手段１等の作用効果をより高めることができる。
【００２３】
手段４．冷却液に含まれる気体を分離可能な気液分離器と、
気液分離後の気体を前記リザーブタンクへ導く第１連通路と、
気液分離後の冷却液を前記本体筒部へ導く第２連通路とを備えたことを特徴とする手段３に記載のイオン交換器。
【００２４】
従来、気体（気泡）が混入した冷却液がイオン交換器を通過する場合には、該気体が押し流されず、イオン交換器内に滞留してしまうおそれがあった。特に上から下へ、気体の浮力と反対方向に冷却液が流れる流路区間にイオン交換樹脂（イオン交換樹脂収容室）が存在する場合には、気体の浮力が冷却液の流れに勝り、冷却液の流れに乗せて気体を排出することが困難となるおそれがある。結果として、イオン交換樹脂の機能低下や冷却液の劣化など種々の不具合が発生するおそれがある。
【００２５】
より具体的には、例えば気体の圧力によって冷却液の流れが遮られ、イオン交換樹脂の一部に冷却液が流れないおそれがある。これにより、イオン交換効率の低下、冷却液中のイオン濃度の上昇、イオン交換樹脂の劣化度合いの偏りなどの不具合が発生するおそれがある。
【００２６】
また、気体が介在することで冷却液が適切に流れず、冷却系のポンプの動作が不安定となったり、イオン交換器内に蒸気が発生し、樹脂材料等により構成される部品の劣化が早くなるなどの不具合が発生するおそれがある。
【００２７】
これに対し、上記手段４によれば、イオン交換器と気液分離器とを一体化し、気液分離後の気体をリザーブタンクへ導くと共に、気液分離後の冷却液を本体筒部へ導く構成とすることにより、かかる不具合の発生を抑制することができる。
【００２８】
手段５．前記隔壁部の孔部は、前記内部流路の下流側に向かうにつれ拡径するように形成されていることを特徴とする手段１乃至４のいずれかに記載のイオン交換器。
【００２９】
上記手段５によれば、孔部を通過する冷却液の流速を緩和することができる。結果として、上記手段１等の作用効果をより高めることができる。
【００３０】
手段６．前記隔壁部を通過する冷却液の流れを均一化するための均一化手段を備えていることを特徴とする手段１乃至５のいずれかに記載のイオン交換器。
【００３１】
内部流路の軸線方向に沿って隔壁部（孔部）を通過していく冷却液の流速は、流路中央部付近が速く、本体筒部の内周面と連接する流路周縁部付近が遅くなるといったように、隔壁部に形成される孔部の位置によって異なる。その結果、隔壁部を通過した冷却液の流れに乱れが生じてしまうおそれがある。
【００３２】
これに対し、上記手段６によれば、上記均一化手段を備えることにより、隔壁部を通過する冷却液の流れ、ひいてはイオン交換樹脂収容室へ流入する冷却液の流れをさらに安定させることができる。結果として、上記手段１等の作用効果をより高めることができる。
【００３３】
上記均一化手段を具現化した例としては、例えば内部流路の軸線方向における隔壁部の厚みが流路中央部付近よりも流路周縁部付近が薄くなるように、隔壁部の下流側壁面を湾曲形成すると共に、該隔壁部の流路中央部付近に形成される孔部の長さよりも、流路周縁部付近に形成される孔部の長さが短くなるよう構成したものなどが一例に挙げられる。
【００３４】
この他、例えば隔壁部の流路中央部付近に形成される孔部の開口面積よりも、流路周縁部付近に形成される孔部の開口面積が大きくなるよう構成したものなども一例に挙げられる。
【００３５】
かかる構成により、隔壁部の流路周縁部付近において、冷却液通過時における抵抗を少なくし、冷却液の流速が減速されにくくなる。
【図面の簡単な説明】
【００３６】
【図１】燃料電池システムの冷却系を示す概略構成図である。
【図２】第１実施形態に係るイオン交換器モジュールを上下方向に沿って切断した部分断面図である。
【図３】（ａ），（ｂ），（ｃ）は、それぞれ図２のＡ−Ａ線，Ｂ−Ｂ線，Ｃ−Ｃ線の位置においてイオン交換器モジュールを水平方向に沿って切断した部分断面図である。
【図４】第２実施形態に係るイオン交換器モジュールを上下方向に沿って切断した部分断面図である。
【図５】（ａ），（ｂ），（ｃ）は、それぞれ図４のＡ−Ａ線，Ｂ−Ｂ線，Ｃ−Ｃ線の位置においてイオン交換器モジュールを水平方向に沿って切断した部分断面図である。
【図６】別の実施形態に係る隔壁部を示す内筒部の部分拡大断面図である。
【図７】別の実施形態に係る隔壁部を示す内筒部の部分拡大断面図である。
【図８】別の実施形態に係る隔壁部を示す内筒部の部分拡大断面図である。
【発明を実施するための形態】
【００３７】
〔第１実施形態〕
以下、本発明の一実施形態について図面を参照して説明する。本発明に係るイオン交換器モジュールは、例えば燃料電池自動車における燃料電池システムの冷却系に用いられるものである。図１は、後述するイオン交換器モジュール１が取付けられる燃料電池システムの冷却系５０を示す概略構成図である。
【００３８】
同図に示すように、冷却系５０においては、冷却液を循環させる流路が、主に燃料電池５１の流入口５１ａとラジエータ５２の流出口５２ｂとを接続する上流側配管５３と、燃料電池５１の流出口５１ｂとラジエータ５２の流入口５２ａとを接続する下流側配管５４と、ラジエータ５２と並列に上流側配管５３と下流側配管５４とに接続されたバイパス配管５５とからなる。
【００３９】
バイパス配管５５にはイオン交換器モジュール１が設置され、バイパス配管５５と上流側配管５３との接続部位には三方弁（三方電磁弁）６０が設置されている。また、三方弁６０と燃料電池５１の間の上流側配管５３には、冷却液を循環させるためのポンプ６１が設置されている。尚、三方弁６０の切換制御やポンプ６１の駆動制御など、冷却系５０に係る各種制御は図示しない制御ユニットにより行われる。
【００４０】
ここで、まず燃料電池５１の構成について説明する。一般的な燃料電池（固体高分子型燃料電池）は、複数の発電セルを積層した燃料電池スタックを有する。発電セルは、電解質膜の両側に、それぞれ触媒層とガス拡散層とからなるアノード（燃料極）及びカソード（空気極）を配設した膜電極複合体（ＭＥＡ）が一対のセパレータにより挟持されてなる。
【００４１】
各発電セルのアノードには燃料ガス（例えば水素ガス）が供給され、カソードには酸化ガス（例えば空気）が供給される。アノードに燃料ガスが供給されることで、燃料ガスに含まれる水素がアノードを構成する触媒層の触媒と反応し、これによって水素イオンが発生する。発生した水素イオンは電解質膜を通過して、カソードで酸素と化学反応を起こす。この化学反応によって発電が行われる。
【００４２】
各発電セルは発電に伴って発熱する。燃料電池５１（燃料電池スタック）には、各発電セルに対し冷却液を流通させるための流路（図示略）が形成されており、上記流入口５１ａから内部に流入した冷却液によって発電セルが冷却される。そして、熱交換を終えた冷却液は上記流出口５１ｂから排出される。
【００４３】
尚、本実施形態では、冷却液として水にエチレングリコール（不凍液）を含有させたＬＬＣ（ロングライフクーラント）が用いられている。このため、冷却液により燃料電池５１の発電セルが冷却されるとき、冷却液の中に含まれるエチレングリコールが加熱分解されて、酸（例えばギ酸等）が生成され、この酸によりマイナスのイオンが生成される。また、酸により冷却液の循環流路（配管５３，５４，５５等）の内面が腐蝕されると、プラスのイオンも生成される。このようにして、冷却液はマイナスのイオンとプラスのイオンが混在した不純物イオンを含有する。このイオンは電荷をもっているので、冷却液に含まれる不純物イオンの濃度が高くなるほど、冷却液の導電率が上昇する。その結果、冷却液を通じて燃料電池５１から外部へ漏電するおそれがある。
【００４４】
一方、ラジエータ５２は、図示しない送風ファンによって空気を吹き付けて、燃料電池５１によって温められた冷却液を冷却するためのものである。冷却液はラジエータ５２内を通過する際に放熱され、冷却される。本実施形態では、燃料電池５１の温度が最適温度（例えば６５℃）となるように冷却液の流れが制御されている。
【００４５】
三方弁６０は、冷却液が流れる流路を切換えるためのものである。より詳しくは、燃料電池５１の温度が最適温度を下回っている場合には、三方弁６０の第１入口（ラジエータ５２側）が閉じられ、第２入口（バイパス配管５５側）及び出口（ポンプ６１側）が開かれる。これにより、冷却液はポンプ６１の駆動により燃料電池５１とバイパス配管５５との間を循環する。これに対し、燃料電池５１の温度が最適温度を上回ると、三方弁６０の第１入口及び出口が開かれ、第２入口が閉じられる。これにより、冷却液はポンプ６１の駆動により燃料電池５１とラジエータ５２との間を循環し、燃料電池５１の冷却が図られる。
【００４６】
従って、燃料電池５１の温度が最適温度を下回っている場合には、常に冷却系５０内のすべての冷却液がバイパス配管５５を通って循環することとなる。この際、冷却液がイオン交換器モジュール１を通過することにより、冷却液に含まれる不純物イオンが一部除去される。これにより、冷却液の導電率の上昇を抑制している。
【００４７】
以下、イオン交換器モジュール１の構成について図２，３を参照して詳しく説明する。図２は、冷却液が流れている状態のイオン交換器モジュール１を上下方向に沿って切断した部分断面図である。尚、図２中の点線部は、冷却液の液面Ｈを指す。図３（ａ），（ｂ），（ｃ）は、それぞれ図２のＡ−Ａ線，Ｂ−Ｂ線，Ｃ−Ｃ線の位置においてイオン交換器モジュール１を水平方向に沿って切断した部分断面図である。
【００４８】
本実施形態に係るイオン交換器モジュール１は、イオン交換器２と、気液分離器３と、リザーブタンク４とが一体に形成されたものである。つまり、イオン交換器モジュール１は、イオン交換器本体部２に対し、気液分離器３及びリザーブタンク４が一体に形成されたイオン交換器と換言することができる。
【００４９】
イオン交換器モジュール１は、その外側ケース部分が主に上ケース体１Ａ及び下ケース体１Ｂを組付けることにより構成されている。
【００５０】
詳しくは、イオン交換器２の外側ケース部分の下側部分及び気液分離器３の外側ケース部分が下ケース体１Ｂにより一体に形成され、両者は下ケース体１Ｂに設けられた下連通管部５内の下連通路５ａを介して冷却液が流通可能に連通している。
【００５１】
また、イオン交換器２の外側ケース部分の上側部分及びリザーブタンク４が、上ケース体１Ａにより一体に形成され、両者は上ケース体１Ａに設けられた上連通管部６内の上連通路６ａを介して冷却液が流通可能に連通している。
【００５２】
以下、イオン交換器２、気液分離器３及びリザーブタンク４について個別に説明していく。
【００５３】
まずイオン交換器２の構成について詳しく説明する。イオン交換器２は、上記両ケース体１Ａ，１Ｂを上下に組付けることにより構成された自身の外側ケース部分となる外筒部１１と、該外筒部１１の内部に着脱可能に組付けられた内筒部１２とを備えている。
【００５４】
本実施形態の内筒部１２は、後述するイオン交換樹脂１８を内部に収容した１つのカートリッジとして取り扱われるものであり、外筒部１１に対し交換可能に構成されている。
【００５５】
外筒部１１は、全体として上面が開口した有底円筒状をなし、イオン交換器モジュール１が冷却系５０に取付けられた状態において、その中心軸線Ｃ１が略上下方向に沿うように配設される。
【００５６】
外筒部１１は、その下部に位置する小径筒部１１ａと、該小径筒部１１ａの上部に位置しかつその内径が小径筒部１１ａの内径よりも大きく設定された大径筒部１１ｂとを備えている。
【００５７】
外筒部１１の小径筒部１１ａには、その下端部近傍の側面において、その内部と外部とを連通する流出側継手部１１ｃが設けられている。流出側継手部１１ｃは、円筒状をなし、その中心軸線Ｃ２が略水平方向に沿うように配設された状態で下流側のバイパス配管５５ｂに対し接続される。
【００５８】
外筒部１１の大径筒部１１ｂは、その下端部近傍の側面において、上記下連通管部５（下連通路５ａ）を介して気液分離器３と連通している。
【００５９】
外筒部１１の上開口部には蓋部１３が着脱可能に取付けられている。本実施形態では、外筒部１１の上端部外周面に形成された雄ネジ部（図示略）に対し、蓋部１３の内周面に形成された雌ネジ部（図示略）を螺合することにより、外筒部１１に対し蓋部１３が固定されている。尚、蓋部１３を取り外すことにより、内筒部１２（カートリッジ）の交換や、冷却液の補充等を行うことができる。
【００６０】
一方、内筒部１２は、下面が開口した有天円筒状をなし、その中心軸線Ｃ３が外筒部１１の中心軸線Ｃ１と重なるように外筒部１１内に組付けられている。
【００６１】
内筒部１２は、本実施形態における本体筒部に相当するものであり、その内部空間には、中心軸線Ｃ３方向に沿って直線状に延びる断面円形状の内部流路が形成されている。特に本実施形態では、中心軸線Ｃ３方向の流路全域（後述するイオン交換樹脂収容室１６、冷却液流入室１９及び流速緩和室２０のすべて）において、内部流路の内径が同一となるように構成されている。つまり、中心軸線Ｃ３方向の流路全域において、該中心軸線Ｃ３と直交する内部流路の断面形状及び断面積が同一となるように構成されている。
【００６２】
内筒部１２は、その周壁部１２ｂの外周面が外筒部１１の小径筒部１１ａの内周面と略同一径に設定されている。これにより、外筒部１１内に内筒部１２が組付けられた状態において、内筒部１２の周壁部１２ｂの外周面と外筒部１１の小径筒部１１ａの内周面との間に隙間が生じないように構成されている。
【００６３】
尚、内筒部１２は、外筒部１１に対し、図示しない係合手段によって上下方向及び周方向への位置ズレが規制された状態で組付けられている。例えば外筒部１１の内周面に設けられた凹部又は凸部と、これに対応して内筒部１２の周壁部１２ｂの外周面に設けられた係合凸部又は係合凹部とを係合させる構成などが係合手段の一例として挙げられる。勿論、係合手段の構成は、これに限定されるものではなく、他の構成を採用してもよい。
【００６４】
かかる構成により、本実施形態では、外筒部１１内に内筒部１２が組付けられた状態において、内筒部１２の下端部と外筒部１１の底壁部１１ｄとの間、及び、内筒部１２の天壁部１２ａと蓋部１３との間に、それぞれ冷却液が流通可能な空間部が形成される。
【００６５】
内筒部１２には、中心軸線Ｃ３方向所定位置において、その内部空間を上下に区画する隔壁部１５が形成されている。本実施形態では、内筒部１２が外筒部１１内に組付けられた状態において、外筒部１１の小径筒部１１ａと大径筒部１１ｂの境界部の高さ位置よりも下方位置、すなわち下連通管部５（下連通路５ａ）の高さ位置よりも下方位置に、内筒部１２の隔壁部１５が位置するように設けられている。
【００６６】
隔壁部１５は、中心軸線Ｃ３と直交する平面に沿って形成された略平板状をなし、内筒部１２の周壁部１２ｂと一体に形成されている。隔壁部１５は、冷却液の流速を緩和させると共に、冷却液の流れを整流し均一化するためのものであり、中心軸線Ｃ３方向に沿って冷却液を通過させる多数の貫通孔１５ａを有している。貫通孔１５ａが本実施形態における孔部に相当する。
【００６７】
内筒部１２の内部空間には、隔壁部１５よりも下方に位置する下流側エリアにおいてイオン交換樹脂収容室１６が形成されている。イオン交換樹脂収容室１６を区画する上流側及び下流側の区画壁として、本実施形態では網目状のメッシュ１７が取付けられている。メッシュ１７は、冷却液の通過を許容する一方、後述するイオン交換樹脂１８の通過を阻止するためのものである。
【００６８】
イオン交換樹脂収容室１６には、冷却液に含まれる不純物イオンをイオン交換により除去可能な粒状のイオン交換樹脂１８が収容されている。イオン交換樹脂１８は公知のものであり、本実施形態ではマイナスのイオンを吸着するアニオン交換樹脂と、プラスのイオンを吸着するカチオン交換樹脂とが混在するように収容されている。
【００６９】
尚、内筒部１２の内部空間の下流側エリアのうち、中心軸線Ｃ３方向における隔壁部１５からイオン交換樹脂収容室１６（上流側のメッシュ１７）までの区間は、イオン交換樹脂１８を収容しない非収容空間となっている。かかる非収容空間は、隔壁部１５を通過した冷却液の流速をさらに緩和させると共に、冷却液の流れをさらに安定させるための流速緩和室２０として機能する。
【００７０】
一方、内筒部１２の内部空間のうち、隔壁部１５よりも上方に位置する上流側エリア、すなわち中心軸線Ｃ３方向における天壁部１２ａから隔壁部１５までの区間は、上記連通管部５，６（連通路５ａ，６ａ）を介して気液分離器３及びリザーブタンク４からそれぞれ導かれる冷却液が流入する冷却液流入室１９として機能する。
【００７１】
さらに、本実施形態では、内筒部１２が外筒部１１に組付けられた状態において、冷却液流入室１９の形成区間に対応する内筒部１２の周壁部１２ｂの外周面と、外筒部１１の大径筒部１１ｂの内周面との間に外周流路２１が形成されるように構成されている（図３参照）。
【００７２】
但し、本実施形態の外周流路２１は、外筒部１１（大径筒部１１ｂ）の内周面に突出形成された区画壁１１ｅによって、上側の外周流路２１ａと、下側の外周流路２１ｂとに区画されている（図２参照）。
【００７３】
これに対応して、内筒部１２の周壁部１２ｂには、下連通路５ａと相対向する位置とは中心軸線Ｃ３を挟んで反対側となる位置において流入口２４が開口形成されている。流入口２４は、下連通路５ａを介して気液分離器３から下側の外周流路２１ｂへ導かれる冷却液を冷却液流入室１９へ流入させるためのものである。
【００７４】
また、内筒部１２の周壁部１２ｂには、上連通管部６と相対向する位置において流入口２５ａが開口形成され、該流入口２５ａとは中心軸線Ｃ３を挟んで反対側となる位置において流入口２５ｂが開口形成されている。流入口２５ａ，２５ｂは、上連通路６ａを介してリザーブタンク４から上側の外周流路２１ａへ導かれる冷却液を冷却液流入室１９へ流入させるためのものである。
【００７５】
次に気液分離器３の構成について詳しく説明する。本実施形態に係る気液分離器３は、冷却液を旋回させ、その遠心力により気体と液体とに分離するサイクロン式の気液分離器である。
【００７６】
気液分離器３は、上記下ケース体１Ｂにより構成された自身の外側ケース部分となる外筒部３１と、該外筒部３１の内部に組付けられた内筒部３２とを備えている。
【００７７】
外筒部３１は、全体として上面が開口した有底円筒状をなし、イオン交換器モジュール１が冷却系５０に取付けられた状態において、その中心軸線Ｃ４が略上下方向に沿うように配設される。つまり、気液分離器３の外筒部３１は、その中心軸線Ｃ４がイオン交換器２の外筒部１１の中心軸線Ｃ１と平行するように設けられている。
【００７８】
外筒部３１には、その下端部近傍の側面において、その内部と外部とを連通する流入側継手部３１ａが設けられている。流入側継手部３１ａは、円筒状をなし、その中心軸線Ｃ５が略水平方向に沿うように配設された状態で上流側のバイパス配管５５ａに対し接続される。但し、外筒部３１の中心軸線Ｃ４と、流入側継手部３１ａの中心軸線Ｃ５は交差しないように設定されており、流入側継手部３１ａから流入する冷却液が気液分離器３の内部で旋回流を起こすように構成されている。
【００７９】
外筒部３１は、その上端部近傍の側面において、上記下連通管部５（下連通路５ａ）を介してイオン交換器２の外筒部１１（大径筒部１１ｂ）と連通している。より詳しくは、イオン交換器２の外筒部１１（大径筒部１１ｂ）と内筒部１２との間に形成される外周流路２１（下側の外周流路２１ｂ）と連通するように構成されている。尚、本実施形態に係る下連通管部５は、イオン交換器２側の開口部（流出口）５ｂの開口面積が、気液分離器３側の開口部（流入口）５ｃの開口面積よりも大きく形成されている。
【００８０】
内筒部３２は、上方へ向かうにつれ小径となる略テーパ筒状をなし、その中心軸線Ｃ６が外筒部３１の中心軸線Ｃ４と重なるように外筒部３１内に組付けられている。
【００８１】
内筒部３２は、その下端部全周が、外筒部３１の内周面に形成された段差部３１ｂに対し隙間なく係合されており、上記流入側継手部３１ａから流入した冷却液が内筒部３２内に導かれるように構成されている。
【００８２】
内筒部３２の上端部には、自身の上開口部及び外筒部３１の上開口部を塞ぐ蓋部３３が一体形成されている。蓋部３３の中央部には、中心軸線Ｃ６に沿って上下方向に貫通した貫通筒部３４が形成されている。
【００８３】
内筒部３２の上端部近傍の側面には、周方向に所定間隔をあけて複数の流出口３５が開口形成されている。本実施形態では、等間隔に４つの流出口３５が形成されている。そのうちの１つの流出口３５は、下連通管部５（下連通路５ａ）の開口部５ｃと相対向する位置に設けられている。下連通管部５（下連通路５ａ）が本実施形態における第２連通路を構成する。
【００８４】
内筒部３２が外筒部３１に組付けられた状態において、内筒部３２の外周面と、外筒部３１の内周面との間には、冷却液が流通可能な外周流路３６が形成されている。
【００８５】
次にリザーブタンク４の構成について詳しく説明する。リザーブタンク４は、冷却系５０において循環する冷却液の一部をその内部に貯留すると共に、その液体溜まりの上方空間に気体溜まりを有し、気液分離器３によって冷却液から分離される気体を貯留可能に構成され、温度変化に伴う冷却液の体積変化を吸収する機能も有する。
【００８６】
リザーブタンク４は、上記上ケース体１Ａにおいて、下面の開口した有天円筒状に形成されたタンク本体４ａが、上記外筒部３１の上開口部を覆うように気液分離器３に対し組付けられてなる。
【００８７】
リザーブタンク４は、その底壁部が気液分離器３の上記蓋部３３によって構成されており、その内部に冷却液や気体を貯留可能な貯留室が形成されることとなる。従って、リザーブタンク４の貯留室は、上記貫通筒部３４を介して気液分離器３の内筒部３２と連通した状態となっている。貫通筒部３４が本実施形態における第１連通路を構成する。
【００８８】
また、リザーブタンク４は、タンク本体４ａの側面において、上連通管部６（上連通路６ａ）を介してイオン交換器２の外筒部１１（大径筒部１１ｂ）と連通している。これにより、イオン交換器２の大径筒部１１ｂは、リザーブタンク４と同様の機能を果たすことが可能となる。
【００８９】
次に上記のように構成された本実施形態のイオン交換器モジュール１の作用について説明する。
【００９０】
上流側のバイパス配管５５ａから流入側継手部３１ａを介して気液分離器３の内部に流入した冷却液は、内筒部３２の内壁面に沿って流れ、旋回流を生じさせつつ上昇する。
【００９１】
ここで、気泡（気体）を含んだ冷却液が流入した場合には、旋回流によって発生する遠心力により、密度の大きい冷却液が内筒部３２の内壁面側に集まり、密度の小さい気泡が内筒部３２の中心（旋回流の渦の中心）に集まるといったように、冷却液中の気泡と冷却液が分離される。
【００９２】
そして、内筒部３２の中心に集められつつ上昇する気泡は、これを含む一部の冷却液と共に貫通筒部３４を介してリザーブタンク４内の貯留室へ導かれる。
【００９３】
一方、概ね気泡が除去された状態の残りの冷却液は、流出口３５から外周流路３６へ流出し、下連通管部５（下連通路５ａ）を介してイオン交換器２の下側の外周流路２１ｂへ流入する。
【００９４】
上記のとおり、本実施形態に係る下連通管部５は、イオン交換器２側の開口部（流出口）５ｂの開口面積が、気液分離器３側の開口部（流入口）５ｃの開口面積よりも大きく形成されているため、イオン交換器２の下側の外周流路２１ｂへ流入する冷却液の流速が緩和される。
【００９５】
イオン交換器２の下側の外周流路２１ｂへ流入した冷却液は、内筒部１２の周壁部１２ｂにぶつかり、該外周流路２１ｂに沿って２方向へ分岐しつつ内筒部１２の反対側へ回り込むように流れていき、内筒部１２の反対側に位置する流入口２４から冷却液流入室１９内へ流入する。
【００９６】
尚、リザーブタンク４内へ導かれた冷却液は、上連通管部６を介して、外筒部１１の大径筒部１１ｂへ流入する。このうち、イオン交換器２の上側の外周流路２１ａへ流入した冷却液は、一部が流入口２５ａから冷却液流入室１９内へ流入すると共に、残りは外周流路２１ａに沿って流れ又は天壁部１２ａの上方空間を通り、内筒部１２の反対側に位置する流入口２５ｂを介して冷却液流入室１９内へ流入する。
【００９７】
冷却液流入室１９内へ流入した冷却液は、隔壁部１５の多数の貫通孔１５ａを通って下方の流速緩和室２０へ流入する。これにより、冷却液の流速が緩和されると共に、冷却液の流れが整流される。
【００９８】
流速緩和室２０へ流入した冷却液は、そのまま中心軸線Ｃ３方向に沿って流速緩和室２０を真っ直ぐ下方へ通過していき、イオン交換樹脂収容室１６へ流入していく。
【００９９】
イオン交換樹脂収容室１６へ流入した冷却液は、イオン交換樹脂１８の隙間を通り、全体としては、その流れの向きを変えることなく、中心軸線Ｃ３方向に沿ってイオン交換樹脂収容室１６を真っ直ぐ下方へ流れ、通過していく。この通過の間に、冷却液に含まれる不純物イオンはイオン交換樹脂１８によって一部除去される。
【０１００】
そして、イオン交換樹脂収容室１６から流出した冷却液は、流出側継手部１１ｃを介して、下流側のバイパス配管５５ｂへ排出される。
【０１０１】
以上詳述したように、本実施形態に係るイオン交換器モジュール１によれば、イオン交換器２と気液分離器３とを一体化し、気液分離後の冷却液をイオン交換器２へ導く構成とすることにより、冷却液に気泡が混入した場合に生じ得る種々の不具合を抑制することができる。
【０１０２】
この際、気液分離器３からイオン交換器２へ導かれる冷却液は、内筒部１２周りに設けられた下側の外周流路２１ｂを通って、その流れを安定させつつ内筒部１２内の冷却液流入室１９へ流入する。
【０１０３】
そして、冷却液流入室１９へ流入した冷却液は、隔壁部１５を介して整流された後、中心軸線Ｃ３方向に沿って真っ直ぐにイオン交換樹脂収容室１６へ流入し、そのまま該イオン交換樹脂収容室１６内を真っ直ぐに通過し流出していくこととなる。
【０１０４】
これにより、イオン交換樹脂収容室１６へ流入し通過していく冷却液の流速を緩和すると共に、その流れを均一化し、各イオン交換樹脂１８に均一にイオン交換を行わせることができる。
【０１０５】
結果として、イオン交換効率やイオン交換樹脂の劣化の進行、ひいては冷却系における圧力損失や冷却液の循環流量などに与える影響を低減することができる。
【０１０６】
また、本実施形態では、内筒部１２の内部流路のうち、中心軸線Ｃ３方向における隔壁部１５からイオン交換樹脂収容室１６（上流側のメッシュ１７）までの区間において、イオン交換樹脂１８を収容しない流速緩和室２０を備えている。これにより、冷却液の流速をより緩和させると共に、イオン交換樹脂収容室１６へ流入する冷却液の流れをより安定させ均一化することができる。
【０１０７】
さらに、本実施形態では、イオン交換器２とリザーブタンク４とを一体化し、内筒部１２の冷却液流入室１９とリザーブタンク４との連通を図ることにより、冷却液流入室１９の実質的な大容量化を図ることができる。結果として、冷却液流入室１９へ流入する冷却液の流量を安定させることができる。
【０１０８】
〔第２実施形態〕
次に第２実施形態について図４，５を参照して詳しく説明する。但し、上述した第１実施形態と重複する部分については、同一の部材名称、同一の符号を用いる等してその詳細な説明を省略するとともに、以下には第１実施形態と相違する部分を中心として説明することとする。
【０１０９】
図４は、冷却液が流れている状態の第２実施形態に係るイオン交換器モジュール１を上下方向に沿って切断した部分断面図である。尚、図４中の点線部は、冷却液の液面Ｈを指す。図５（ａ），（ｂ），（ｃ）は、それぞれ図４のＡ−Ａ線，Ｂ−Ｂ線，Ｃ−Ｃ線の位置においてイオン交換器モジュール１を水平方向に沿って切断した部分断面図である。
【０１１０】
本実施形態では、内筒部１２が外筒部１１に組付けられた状態において、冷却液流入室１９の形成区間に対応する内筒部１２の周壁部１２ｂの外周面と、外筒部１１の大径筒部１１ｂの内周面との間に外周流路２１が形成されるように構成されている（図４，５参照）。但し、本実施形態の外周流路２１は、第１実施形態のように上下に区画されていない。
【０１１１】
また、内筒部１２の周壁部１２ｂには、流入口２４や、流入口２５ａ，２５ｂが開口形成されておらず、内筒部１２の天壁部１２ａの中央部に流入口４１が形成されている。
【０１１２】
また、天壁部１２ａには、流入口４１に対応して、中央軸線Ｃ３に沿って下方へ突出した有底円筒状の流入筒部４２が形成されている。流入筒部４２の周壁部には、その周方向に所定間隔をあけて複数の流出口４３が開口形成されている。本実施形態では、等間隔に４つの流出口４３が形成されている。
【０１１３】
次に上記のように構成された本実施形態のイオン交換器モジュール１の作用について説明する。
【０１１４】
上記第１実施形態と同様、気液分離器３から下連通管部５（下連通路５ａ）を介してイオン交換器２の外周流路２１へ流入した冷却液は、内筒部１２の周壁部１２ｂにぶつかり、該外周流路２１に沿って水平２方向及び上方へ分岐し、内筒部１２の反対側へ回り込みつつ上方へ向け流れていき、内筒部１２の天壁部１２ａの中央部に位置する流入口４１から流入筒部４２内へ流入する。
【０１１５】
尚、リザーブタンク４内へ導かれた冷却液は、上連通管部６を介して、外筒部１１の大径筒部１１ｂへ流入する。そして、気液分離器３から直接流入した冷却液と同様、内筒部１２の天壁部１２ａの中央部に位置する流入口４１から流入筒部４２内へ流入する。
【０１１６】
流入口４１から流入筒部４２内へ流入した冷却液は、該流入筒部４２の周壁部に形成された流出口４３から、中心軸線Ｃ３と直交する内部流路の径方向に沿って冷却液流入室１９の主室内へ流入する。
【０１１７】
冷却液流入室１９の主室内へ流入した冷却液は、隔壁部１５の多数の貫通孔１５ａを通って下方の流速緩和室２０へ流入する。
【０１１８】
流速緩和室２０へ流入した冷却液は、そのまま中心軸線Ｃ３方向に沿って流速緩和室２０を真っ直ぐ下方へ通過していき、イオン交換樹脂収容室１６へ流入していく。
【０１１９】
イオン交換樹脂収容室１６へ流入した冷却液は、中心軸線Ｃ３方向に沿ってイオン交換樹脂収容室１６を真っ直ぐ下方へ流れ、通過していく。この通過の間に、冷却液に含まれる不純物イオンはイオン交換樹脂１８によって一部除去される。
【０１２０】
そして、イオン交換樹脂収容室１６から流出した冷却液は、流出側継手部１１ｃを介して、下流側のバイパス配管５５ｂへ排出される。
【０１２１】
以上詳述したように、本実施形態によれば、上記第１実施形態と同様の作用効果が奏される。
【０１２２】
特に本実施形態では、気液分離器３からイオン交換器２の外周流路２１へ流入した冷却液が、該外周流路２１を通って内筒部１２の天壁部１２ａまで導かれ、該天壁部１２ａに形成された流入口４１から、内筒部１２内の冷却液流入室１９へ流入する構成となっている。
【０１２３】
これにより、内筒部１２内の内部流路の比較的長い区間を冷却液が中心軸線Ｃ３方向に沿って真っ直ぐに流れるようになるため、冷却液の流速をより緩和させると共に、冷却液の流れをより安定させ均一にすることができる。
【０１２４】
尚、上記実施形態の記載内容に限定されず、例えば次のように実施してもよい。勿論、以下において例示しない他の応用例、変更例も当然可能である。
【０１２５】
（ａ）上記各実施形態では、本発明を燃料電池自動車における燃料電池システムの冷却系に用いられるイオン交換器モジュール１として具体化したが、これに限らず、例えば工場や一般家庭の発電用の燃料電池システムの冷却系に用いられるイオン交換器モジュールとして具体化してもよい。
【０１２６】
（ｂ）イオン交換器モジュール１の取付位置など、冷却系５０の構成は上記各実施形態に限定されるものではない。例えばラジエータ５２やバイパス配管５５への冷却液の流量を制御可能な冷却系にイオン交換器モジュール１を取付けた構成としてもよい。また、バイパス配管５５から分岐した第２のバイパス配管を設け、該第２のバイパス配管にイオン交換器モジュール１を取付けた構成としてもよい。
【０１２７】
（ｃ）イオン交換器の構成は、上記各実施形態に係るイオン交換器２に限定されるものではなく、他の構成を採用してもよい。
【０１２８】
例えば外筒部１１や内筒部１２を円筒形状ではなく、楕円筒状や四角形筒状など異なる形状としてもよい。
【０１２９】
また、上記各実施形態に係るイオン交換器２では、内筒部１２が外筒部１１に対し着脱可能に組付けられ、イオン交換樹脂１８の交換時には、内筒部４全体をそのままカートリッジとして交換する構成となっている。
【０１３０】
これに限らず、例えばイオン交換樹脂収容室１６を有する所定の収容体（カートリッジ）が内筒部１２に対し着脱可能に組付けられ、イオン交換樹脂１８の交換時には、前記収容体のみを交換する構成としてもよい。尚、このような構成とした場合には、外筒部１１と内筒部１２とを一体形成してもよい。
【０１３１】
（ｄ）上記各実施形態に係るイオン交換器２では、本体筒部として、内部流路が直線状に形成された円筒状の内筒部１２を採用しているが、本体筒部の構成は、このような完全な円筒形状に限定されるものではなく、例えば本体筒部として、少なくとも冷却液を円滑かつ略均一に流すことができる程度に緩やかに湾曲又は屈曲した形状のものを採用してもよい。
【０１３２】
（ｅ）上記各実施形態に係るイオン交換器２では、外筒部１１が、その下流側に位置する小径筒部１１ａと、上流側に位置する大径筒部１１ｂとから構成されると共に、内筒部１２が、その中心軸線Ｃ３方向全域において同一内径となるように構成され、両者が組付けられた状態において、内筒部１２の周壁部１２ｂの外周面と、外筒部１１の大径筒部１１ｂの内周面との間に外周流路２１が形成される構成となっている。
【０１３３】
これに限らず、例えば外筒部１１が、その中心軸線Ｃ１方向全域において同一内径となるように構成され、内筒部１２が、その下流側に大径筒部を備えると共に、その上流側に小径筒部を備えるよう構成され、両者が組付けられた状態において、内筒部１２の小径筒部の周壁部の外周面と、外筒部１１の内周面との間に外周流路が形成される構成としてもよい。
【０１３４】
（ｆ）上記各実施形態に係るイオン交換器２では、内筒部１２の内部流路のうち、中心軸線Ｃ３方向における隔壁部１５とイオン交換樹脂収容室１６と間にイオン交換樹脂１８を収容しない流速緩和室２０を備えた構成となっているが、これに限らず、流速緩和室２０を省略した構成としてもよい。
【０１３５】
また、冷却液の流通時に、イオン交換樹脂収容室１６内においてイオン交換樹脂１８が下流側に押し流され、上流側のメッシュ１７の直下流側空間において、イオン交換樹脂１８が存在しない空間が形成される構成としてもよい。
【０１３６】
（ｇ）隔壁部の構成は上記各実施形態に限定されるものではない。例えば上記各実施形態に係るイオン交換器２では、内筒部１２が外筒部１１内に組付けられた状態において、外筒部１１の小径筒部１１ａと大径筒部１１ｂの境界部の高さ位置よりも下方位置、すなわち下連通管部５（下連通路５ａ）の高さ位置よりも下方位置に、内筒部１２の隔壁部１５が位置するように設けられている。
【０１３７】
これに限らず、例えば第２実施形態に係る構成の下、内筒部１２が外筒部１１内に組付けられた状態において、下連通管部５（下連通路５ａ）の高さ位置よりも上方位置に隔壁部１５が位置する構成など、上記各実施形態とは異なる位置に隔壁部１５を設けた構成としてもよい。隔壁部１５よりも下流側の直線区間が長くなればなるほど、冷却液の流れを安定させやすくなる。
【０１３８】
（ｈ）上記各実施形態では、隔壁部１５が内筒部１２の周壁部１２ｂと一体形成された構成となっているが、これに限らず、別体で設けた構成としてもよい。また、材質等に関しても特に限定されるものではなく、例えば隔壁部１５が金属製又は樹脂製のメッシュにより形成された構成としてもよいし、不織布や多孔質材料などにより形成された構成としてもよい。
【０１３９】
（ｉ）隔壁部に形成される孔部は、上記各実施形態に限定されるものではない。例えば上記各実施形態に係る隔壁部１５には、冷却液の通過を許容する孔部として、中心軸線Ｃ３方向に沿って真っ直ぐに貫通した貫通孔１５ａが形成されている。
【０１４０】
これに限らず、例えば図６に示す隔壁部７１のように、内筒部１２（内部流路）の下流側に向かうにつれ拡径するように形成された貫通孔７１ａを備えた構成としてもよい。かかる構成により、貫通孔７１ａを通過する冷却液の流速を緩和することができる。
【０１４１】
（ｊ）隔壁部を通過する冷却液の流れを、内筒部１２（内部流路）の径方向において均一化するための均一化手段を備えた構成としてもよい。
【０１４２】
例えば図７に示す隔壁部７２のように、下流側壁面７２ａがドーム状に湾曲形成され、その厚みが流路中央部付近よりも流路周縁部付近が薄くなるよう構成すると共に、該隔壁部７２の流路中央部付近に形成される貫通孔７２ｂの長さよりも、流路周縁部付近に形成される貫通孔７２ｃの長さが短くなる構成としてもよい。
【０１４３】
また、図８に示す隔壁部７３のように、該隔壁部７３の流路中央部付近に形成される貫通孔７３ａの開口面積よりも、流路周縁部付近に形成される貫通孔７３ｂの開口面積が大きくなる構成としてもよい。
【０１４４】
かかる構成により、隔壁部の流路周縁部付近において、冷却液通過時における抵抗を少なくし、冷却液の流速が減速されにくくなる。
【０１４５】
（ｋ）イオン交換器モジュール１に係る各種連通路や流入口などの構成は上記各実施形態に限定されるものではない。例えば上記各実施形態では、下連通管部５（下連通路５ａ）のイオン交換器２側の開口部（流出口）５ｂの開口面積が、気液分離器３側の開口部（流入口）５ｃの開口面積よりも大きく形成されている。これに限らず、例えばイオン交換器２側の開口部５ｂの開口面積と、気液分離器３側の開口部５ｃの開口面積とが略同一となるようにしてもよい。
【０１４６】
また、各種連通路や流入口に網目状のメッシュなどが取付けられた構成としてもよい。かかる構成とすることにより、冷却液の流速を緩和させると共に、冷却液の流れを安定させることが可能となる。
【０１４７】
（ｌ）気液分離器及びリザーブタンクの構成は、上記各実施形態に係る気液分離器３及びリザーブタンク４に限定されるものではない。
【０１４８】
例えば上記各実施形態では、サイクロン式の気液分離器３を採用しているが、これに限らず、他の方式の気液分離器を採用してもよい。
【０１４９】
また、上記各実施形態では、本発明をイオン交換器２と、気液分離器３と、リザーブタンク４とが一体に形成されたイオン交換器モジュール１として具体化したが、これに限らず、例えば気液分離器３及びリザーブタンク４を省略し、本発明をイオン交換器単体として具体化してもよい。
【符号の説明】
【０１５０】
１…イオン交換器モジュール、２…イオン交換器（イオン交換器本体部）、３…気液分離器、４…リザーブタンク、５…下連通管部、５ａ…下連通路、６…上連通管部、６ａ…上連通路、１１…外筒部、１１ａ…小径筒部、１１ｂ…大径筒部、１２…内筒部、１２ａ…天壁部、１２ｂ…周壁部、１５…隔壁部、１５ａ…貫通孔、１６…イオン交換樹脂収容室、１７…メッシュ、１８…イオン交換樹脂、１９…冷却液流入室、２０…流速緩和室、２１…外周流路、２４，２５ａ，２５ｂ…流入口、５０…冷却系、５１…燃料電池、５２…ラジエータ、５５…バイパス配管。
【図１】
2020021667.tif 000003
【図２】
2020021667.tif 000004
【図３】
2020021667.tif 000005
【図４】
2020021667.tif 000006
【図５】
2020021667.tif 000007
【図６】
2020021667.tif 000008
【図７】
2020021667.tif 000009
【図８】
2020021667.tif 000010